(57)【要約】【課題】プロジェクターと別体の認証端末により認証情報の入力を受け付け、プロジェクターの認証を行う。【解決手段】認証端末４０から受信した、認証端末を識別する第１端末識別情報４２ａ、及びプロジェクター１を使用可能にするための第１認証情報４３ａと、プロジェクター１の認証情報記憶部２１に保存された、プロジェクター１への認証要求を受け付ける第２端末識別情報２１ａ、及びプロジェクター１を使用可能にするための第２認証情報２１ｂと、がそれぞれ一致した場合にプロジェクター１を使用可能にする。【選択図】図３
2012226034.tif 000002
【特許請求の範囲】
【請求項１】
画像を投写するプロジェクターと、
当該プロジェクターとの間で認証情報の通信を行う認証端末と、を有するプロジェクターシステムであって、
前記認証端末は、
当該認証端末を識別する第１端末識別情報を記憶する記憶部と、
前記プロジェクターを使用可能にするための第１認証情報の入力を受け付ける認証情報入力部と、
前記プロジェクターに前記第１端末識別情報、及び前記第１認証情報を送信する送信部と、
を備え、
前記プロジェクターは、
当該プロジェクターを使用可能にするための第２認証情報、及び当該プロジェクターへの認証要求を受け付ける第２端末識別情報を記憶する認証情報記憶部と、
前記認証端末から前記第１端末識別情報と、前記第１認証情報を受信する受信部と、
前記受信部で受信した前記第１端末識別情報、及び前記第１認証情報と、前記認証情報記憶部に記憶された前記第２端末識別情報、及び前記第２認証情報と、がそれぞれ一致した場合に、当該プロジェクターを使用可能にする制御部と、
を備えたことを特徴とする、プロジェクターシステム。
【請求項２】
請求項１に記載のプロジェクターシステムであって、
前記認証情報入力部はユーザーの入力操作により、前記第１認証情報の入力を受け付けることを特徴とする、プロジェクターシステム。
【請求項３】
請求項１から２のいずれか一項に記載のプロジェクターシステムであって、
前記認証情報入力部は、情報記録媒体に記録された前記第１認証情報を読み取り、入力を受け付けることを特徴とする、プロジェクターシステム。
【請求項４】
請求項１から３のいずれか一項に記載のプロジェクターシステムであって、
前記認証情報入力部は、外部機器より前記第１認証情報の入力を受け付けることを特徴とする、プロジェクターシステム。
【請求項５】
請求項１から４のいずれか一項に記載のプロジェクターシステムであって、
前記認証端末は、前記プロジェクターの設置場所の近傍に設置されることを特徴とする、プロジェクターシステム。
【請求項６】
請求項１から５のいずれか一項に記載のプロジェクターシステムであって、
前記プロジェクターは、前記受信部で受信した前記第１端末識別情報、及び前記第１認証情報と、前記認証情報記憶部に記憶された前記第２端末識別情報、及び前記第２認証情報との、いずれかが一致しなかった場合に報知する報知部をさらに備えたことを特徴とする、プロジェクターシステム。
【請求項７】
画像を投写して表示するプロジェクターと、
当該プロジェクターとの間で認証情報の通信を行う認証端末と、を有するプロジェクターシステムの制御方法であって、
前記認証端末は、
当該認証端末を識別する第１端末識別情報を記憶する記憶部と、
前記プロジェクターを使用可能にするための第１認証情報の入力を受け付ける認証情報入力ステップと、
前記プロジェクターに前記第１端末識別情報、及び前記第１認証情報を送信する認証情報送信ステップと、
を有し、
前記プロジェクターは、
当該プロジェクターを使用可能にするための第２認証情報、及び当該プロジェクターへの認証要求を受け付ける第２端末識別情報を記憶する認証情報記憶部と、
前記認証端末から前記第１端末識別情報と、前記第１認証情報と、を受信する認証情報受信ステップと、
前記認証情報受信ステップにより受信した前記第１端末識別情報、及び前記第１認証情報と、前記認証情報記憶部に記憶された前記第２端末識別情報、及び前記第２認証情報と、がそれぞれ一致した場合に、当該プロジェクターを使用可能にする認証ステップと、
を有することを特徴とする、プロジェクターシステムの制御方法。
【発明の詳細な説明】
【技術分野】
【０００１】
本発明は、プロジェクターシステム、及びプロジェクターシステムの制御方法に関する。
【背景技術】
【０００２】
従来、プロジェクターの不正使用を防止する方法として、リモートコントローラー（リモコン）から暗証番号を入力する方法が知られている。しかし、プロジェクターを起動するたびに暗証番号を入力する必要があり、操作が面倒だった。また、一般にプロジェクター本体には番号キーが備えられていないため、未使用時にリモコンを保管しておくことで、暗証番号が入力されるのを防ぐ方法もあるが、暗証番号を第三者に知られてしまった場合、他のリモコンを使い、暗証番号を入力されてしまうという問題があった。
【０００３】
特許文献１には、ＵＳＢキーの脱着やＲＦタグをかざすことで認証するプロジェクターが開示されている。
このようなプロジェクターによれば、暗証番号を入力することなく、プロジェクターの不正使用を防止することができる。
【先行技術文献】
【特許文献】
【０００４】
【特許文献１】特開２００５−３５１９９６号公報
【発明の概要】
【発明が解決しようとする課題】
【０００５】
しかし、特許文献１のプロジェクターでは、使用時にユーザーがプロジェクター本体のすぐそばで認証のための操作をする必要がある。このため、プロジェクターが天吊設置されている場合には、ＵＳＢキーの脱着やＲＦタグをかざすという操作ができないという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターシステムは、画像を投写するプロジェクターと、当該プロジェクターとの間で認証情報の通信を行う認証端末と、を有するプロジェクターシステムであって、前記認証端末は、当該認証端末を識別する第１端末識別情報を記憶する記憶部と、前記プロジェクターを使用可能にするための第１認証情報の入力を受け付ける認証情報入力部と、前記プロジェクターに前記第１端末識別情報、及び前記第１認証情報を送信する送信部と、を備え、前記プロジェクターは、当該プロジェクターを使用可能にするための第２認証情報、及び当該プロジェクターへの認証要求を受け付ける第２端末識別情報を記憶する認証情報記憶部と、前記認証端末から前記第１端末識別情報と、前記第１認証情報を受信する受信部と、前記受信部で受信した前記第１端末識別情報、及び前記第１認証情報と、前記認証情報記憶部に記憶された前記第２端末識別情報、及び前記第２認証情報と、がそれぞれ一致した場合に、当該プロジェクターを使用可能にする制御部と、を備えたことを特徴とする。
【０００８】
本適用例によれば、端末識別情報を持った認証端末により、プロジェクターを使用可能にするための認証情報を入力し、プロジェクターに端末識別情報と、入力された認証情報とを送信し、プロジェクター本体に保存された端末識別情報と認証情報とがそれぞれ一致した場合にプロジェクターを使用可能にする。これによりプロジェクターが天吊設置されているなどユーザーから直接操作できない場合でも認証端末を介して認証することが可能となる。また、認証端末が端末識別情報を持つことにより、別の認証端末を用いて認証を行おうとする不正使用を防止することが可能となる。
【０００９】
［適用例２］上記適用例に記載のプロジェクターシステムにおいて、前記認証情報入力部はユーザーの入力操作により、前記第１認証情報の入力を受け付けることを特徴とする。
【００１０】
本適用例によれば、認証端末にユーザーが入力操作をすることで第１認証情報を入力する。これにより、それぞれの認証端末において、第１認証情報を知るユーザーによってのみ認証できるので、プロジェクターの不正使用を防止することが可能となる。
【００１１】
［適用例３］上記適用例に記載のプロジェクターシステムにおいて、前記認証情報入力部は、情報記録媒体に記録された前記第１認証情報を読み取り、入力を受け付けることを特徴とする。
【００１２】
本適用例によれば、第１認証情報が記憶された情報記録媒体から第１認証情報を読み取り、認証情報入力部により入力を受け付ける。つまり情報記録媒体を、プロジェクターを使用するための鍵として扱い、プロジェクターの不正使用を防止することが可能となる。
【００１３】
［適用例４］上記適用例に記載のプロジェクターシステムにおいて、前記認証情報入力部は、外部機器より前記第１認証情報の入力を受け付けることを特徴とする。
【００１４】
本適用例によれば、パーソナルコンピューター等外部機器を認証端末に接続し、第１認証情報を入力することができる。つまり、外部機器を用いて第１認証情報を認証端末に入力することができるユーザーにのみプロジェクターを使用可能にさせることが可能となる。
【００１５】
［適用例５］上記適用例に記載のプロジェクターシステムにおいて、前記認証端末は、前記プロジェクターの設置場所の近傍に設置されることを特徴とする。
【００１６】
本適用例によれば、認証端末がプロジェクターの周辺の固定的に設置されるので、認証端末が第三者によって容易に持ち出されたり、紛失したりすることを防止することが可能となる。
【００１７】
［適用例６］上記適用例に記載のプロジェクターシステムにおいて、前記プロジェクターは、前記受信部で受信した前記第１端末識別情報、及び前記第１認証情報と、前記認証情報記憶部に記憶された前記第２端末識別情報、及び前記第２認証情報との、いずれかが一致しなかった場合に報知する報知部をさらに備えたことを特徴とする。
【００１８】
本適用例によれば、認証端末による認証要求が失敗したことをユーザーに報知することが可能となる。
【００１９】
［適用例７］本適用例に係るプロジェクターシステムの制御方法は、画像を投写して表示するプロジェクターと、当該プロジェクターとの間で認証情報の通信を行う認証端末と、を有するプロジェクターシステムの制御方法であって、前記認証端末は、当該認証端末を識別する第１端末識別情報を記憶する記憶部と、前記プロジェクターを使用可能にするための第１認証情報の入力を受け付ける認証情報入力ステップと、前記プロジェクターに前記第１端末識別情報、及び前記第１認証情報を送信する認証情報送信ステップと、を有し、前記プロジェクターは、当該プロジェクターを使用可能にするための第２認証情報、及び当該プロジェクターへの認証要求を受け付ける第２端末識別情報を記憶する認証情報記憶部と、前記認証端末から前記第１端末識別情報と、前記第１認証情報と、を受信する認証情報受信ステップと、前記認証情報受信ステップにより受信した前記第１端末識別情報、及び前記第１認証情報と、前記認証情報記憶部に記憶された前記第２端末識別情報、及び前記第２認証情報と、がそれぞれ一致した場合に、当該プロジェクターを使用可能にする認証ステップと、を有することを特徴とする。
【００２０】
本適用例によれば、端末識別情報を持った認証端末により、プロジェクターを使用可能にするための認証情報を入力し、プロジェクターに端末識別情報と、入力された認証情報とを送信し、プロジェクター本体に保存された端末識別情報と、認証情報と、がそれぞれ一致した場合に、プロジェクターを使用可能にする。これにより、プロジェクターが天吊設置されているなどユーザーから直接操作できない場合でも、認証端末を介して認証することが可能となる。また、認証端末が識別情報を持つことにより、別の認証端末を用いて認証を行おうとする不正使用を防止することが可能となる。
【図面の簡単な説明】
【００２１】
【図１】プロジェクターシステムの設置状態を示す図。
【図２】認証情報入力部の構成の概略を示す正面図。
【図３】プロジェクターシステムの回路構成を示すブロック図。
【図４】プロジェクターシステムの動作を示すフローチャート。（ａ）はプロジェクターが認証端末からの認証要求を受け付けた時の動作を示し、（ｂ）は認証端末が第１認証情報の入力を受け付けた時の動作を示す。
【発明を実施するための形態】
【００２２】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２３】
（第１実施形態）
図１は本実施形態のプロジェクターシステム１００の設置状態を示す図である。
図１に示すように、プロジェクター１は天吊装置２によって天井ＣＥに天吊設置され、認証端末４０は壁ＷＡに固定設置されている。
プロジェクター１と認証端末４０は無線またはケーブルＣＡ１を介して通信を行うようになっている。認証端末４０の一面には認証情報入力部４３があり、入力端子４５と記録媒体接続端子４６が備えられている。入力端子４５にはケーブルＣＡ２を介してパーソナルコンピューターＰＣが接続されるようになっており、記録媒体接続端子４６には情報記録媒体Ｍが接続可能になっている。
なお、図１では認証端末４０は壁ＷＡに固定設定されているが、必ずしも固定されるものでなく、着脱可能に設置されてもよい。
【００２４】
図２は、認証端末４０の認証情報入力部４３を正面から見た図であり、認証情報入力部４３の概略構成を示している。
図２に示すように、認証情報入力部４３には入力端子４５、記録媒体接続端子４６と、後述する第１認証情報４３ａの入力を開始するための入力キー４３１、第１端末識別情報４２ａ、及び後述する第１認証情報４３ａをプロジェクター１に送信するための送信キー４３０、後述する第１認証情報４３ａを入力するための番号キー４３２などが備えられている。
【００２５】
図３は本実施形態のプロジェクターシステム１００の回路構成を示すブロック図である。
図３に示すように、プロジェクターシステム１００は、プロジェクター１と認証端末４０等から構成されている。
【００２６】
プロジェクター１は、画像投写部１０、報知部１５、ＯＳＤ処理部１６、画像信号処理部１７、画像信号入力部１８、制御部２０、認証情報記憶部２１、受信部２２、入力操作部２３、光源制御部２５、電源端子３０、電源部３１等で構成されており、これらは図示しないプロジェクター１の筐体の内部に収容されている。
【００２７】
認証端末４０は、送信部４１、記憶部４２、認証情報入力部４３、入力端子４５、記録媒体接続端子４６等で構成されており、これらは図示しない認証端末４０の筐体内に収容されている。
認証端末４０は、プロジェクター１を使用可能にするための認証要求を送信する。
【００２８】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２９】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００３０】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
【００３１】
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３２】
上述した実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。なお、上記の実施形態では、画像投写部１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３３】
制御部２０は、ＣＰＵ（Central Processing Unit）や、各種データ等の一時記憶に用いられるＲＡＭ（Random Access Memory）等を備え、認証情報記憶部２１に記憶されている制御プログラム（図示せず）に従って動作することによりプロジェクター１の動作を統括制御する。つまり、制御部２０は、認証情報記憶部２１とともにコンピューターとして機能する。
【００３４】
認証情報記憶部２１は、フラッシュメモリーやＦｅＲＡＭ（Ferroelectric RAM：強誘電体メモリー）等の書き換え可能な不揮発性のメモリーにより構成されている。認証情報記憶部２１には、プロジェクター１の動作を制御するための制御プログラムや、プロジェクター１の動作条件等を規定する各種設定データ等が記憶されている。
【００３５】
認証情報記憶部２１には設定データとして、プロジェクター１への認証要求を受け付ける第２端末識別情報２１ａと、プロジェクター１を使用可能にするための第２認証情報２１ｂが保存される。
【００３６】
受信部２２は、認証端末４０の送信部４１と通信し、認証端末４０から第１端末識別情報４２ａ、及び第１認証情報４３ａを受信する。
【００３７】
入力操作部２３は、プロジェクター１が、ユーザーからの入力操作を受け付けるものであり、ユーザーがプロジェクター１に対して各種指示を行うための複数の操作キーを備えている。また、入力操作部２３は、プロジェクター１の本体筐体外面に備えられる本体キー、または遠隔操作で入力操作を行う図示しないリモートコントローラー（リモコン）などで構成される。
【００３８】
入力操作部２３が備える操作キーとしては、電源のオン・オフを交互に切り替えるための電源キーや、画像信号入力部１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー、また、投写を中断する画面ミュートキー等がある。
ユーザーが入力操作部２３の各種操作キーを操作すると、入力操作部２３は、ユーザーの操作内容に応じた操作信号を制御部２０に出力する。
【００３９】
画像信号入力部１８は、複数の画像入力端子を備えており、各画像入力端子より、ビデオ再生装置やパーソナルコンピューター等、外部の画像出力装置から、図示しないケーブルを介して画像情報が入力される。
【００４０】
画像信号処理部１７は、画像信号入力部１８から入力される画像情報を、液晶ライトバルブ１２Ｒ、１２Ｇ、１２Ｂの各画素の階調を表す画像情報に変換する。ここで、変換された画像情報は、Ｒ、Ｇ、Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００４１】
ＯＳＤ処理部１６は、制御部２０の指示に基づいて、投写画像上に、メニュー画像やメッセージ画像等のＯＳＤ（オンスクリーンディスプレイ）画像を重畳して表示するための処理を行う。ＯＳＤ処理部１６は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部１６は、必要なＯＳＤ画像情報をＯＳＤメモリーから読み出し、投写画像上の所定の位置にＯＳＤ画像が重畳されるように、画像信号処理部１７から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部１６は、画像信号処理部１７から入力される画像情報を、そのまま液晶駆動部１４に出力する。
【００４２】
液晶駆動部１４は、本実施形態における画像形成部であり、ＯＳＤ処理部１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４３】
光源制御部２５は、制御部２０の指示に基づいて、光源１１に対する電力の供給と停止とを制御し、光源１１の点灯、及び消灯を切り替える。
【００４４】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４５】
報知部１５はＬＥＤ、ブザーなどで構成され、制御部２０からの指示により、認証端末４０からの認証要求に基づく認証に失敗したことをユーザーに報知する。
【００４６】
送信部４１はプロジェクター１と通信し、記憶部４２に記憶される第１端末識別情報４２ａ、及び認証情報入力部４３に入力される第１認証情報４３ａをプロジェクター１に送信する。
【００４７】
記憶部４２は、認証端末４０を識別するための第１端末識別情報４２ａを保存する記憶装置であり、フラッシュメモリーやＦｅＲＡＭ等の書き換え可能な不揮発性のメモリーにより構成される。
【００４８】
認証情報入力部４３は、プロジェクター１を使用可能にするための第１認証情報４３ａの入力を受け付けるものであり、パーソナルコンピューターＰＣなどの外部装置から第１認証情報４３ａを入力する入力端子４５、情報記録媒体Ｍに記録された第１認証情報４３ａを読み取るための記録媒体接続端子４６、第１認証情報４３ａの入力を行う各種操作キー（図２参照）などで構成される。
【００４９】
プロジェクター１は、認証端末４０の送信部４１から送信され、受信部２２により受信した、第１端末識別情報４２ａ、及び第１認証情報４３ａと、認証情報記憶部２１に記憶（保存）された第２端末識別情報２１ａ、及び第２認証情報２１ｂと、がそれぞれ一致した場合に、使用可能となる。
【００５０】
次に、本実施形態のプロジェクターシステム１００の動作を、図４のフローチャートを用いて説明する。
【００５１】
（プロジェクター１が認証端末４０からの認証要求を受け付けた時の動作）
図４（ａ）に示すように、プロジェクター１において、受信部２２が、認証端末４０からの認証要求を受信すると（ステップＳ１０１）、制御部２０は受信部２２を介し、認証端末４０より第１端末識別情報４２ａ、及び第１認証情報４３ａを受信し（ステップＳ１０２）、ステップＳ１０３に遷移する。
【００５２】
ステップＳ１０３において制御部２０は、受信した第１端末識別情報４２ａと、認証情報記憶部２１に保存されている第２端末識別情報２１ａとが一致するか否かを調べる。第１端末識別情報４２ａと第２端末識別情報２１ａが一致する場合（ステップＳ１０３：Ｙ）、ステップＳ１０４に遷移する。第１端末識別情報４２ａと第２端末識別情報２１ａが一致しない場合（ステップＳ１０３：Ｎ）、ステップＳ１０７に遷移する。
【００５３】
ステップＳ１０４において制御部２０は、受信した第１認証情報４３ａと、認証情報記憶部２１に保存されている第２認証情報２１ｂとが一致するか否かを調べる。第１認証情報４３ａと第２認証情報２１ｂが一致する場合（ステップＳ１０４：Ｙ）、ステップＳ１０５に遷移する。第１認証情報４３ａと第２認証情報２１ｂが一致しない場合（ステップＳ１０４：Ｎ）、ステップＳ１０７に遷移する。
【００５４】
ステップＳ１０５において制御部２０は、電源部３１により電源オン状態に移行し、光源制御部２２によって光源１１を点灯し、ステップＳ１０６に遷移する。
【００５５】
ステップＳ１０６において制御部２０は、画像信号入力部１８に入力される画像情報を画像投写部１０に投写させ、プロジェクター１を投写状態にし、本動作フローを終了する。
【００５６】
ステップＳ１０７において制御部２０は、第２端末識別情報２１ａ、第２認証情報２１ｂのいずれかが一致せず、認証に失敗したことを報知部１５に所定時間報知させ、ステップＳ１０８に遷移する。
【００５７】
ステップＳ１０８において制御部２０は、プロジェクター１をスタンバイ状態に移行させ、本動作フローを終了する。
【００５８】
（認証端末４０が第１認証情報４３ａの入力を受け付けた時の動作）
図４（ｂ）に示すように、認証端末４０において、認証情報入力部４３が、操作キーなどの入力操作により、第１認証情報４３ａの入力を受け付けると（ステップＳ２０１）、ステップＳ２０２に遷移する。
【００５９】
または、認証情報入力部４３が、入力端子４５を介し、パーソナルコンピューターＰＣからの認証要求を受け付け（受信）すると（ステップＳ２１１）、認証情報入力部４３は受信した認証要求から第１認証情報４３ａを取得し（ステップＳ２１２）、ステップＳ２０２に遷移する。
【００６０】
または、認証情報入力部４３が、記録媒体接続端子４６への情報記録媒体Ｍの接続を検出すると（ステップＳ２２１）、認証情報入力部４３は情報記録媒体Ｍに第１認証情報４３ａが格納されているか否かを調べる（ステップＳ２２２）。情報記録媒体Ｍに第１認証情報４３ａが格納されている場合（ステップＳ２２２：Ｙ）、認証情報入力部４３は情報記録媒体Ｍより第１認証情報４３ａを読み取り（ステップＳ２２３）、ステップＳ２０２に遷移する。
一方、情報記録媒体Ｍに第１認証情報４３ａが格納されていない場合（ステップＳ２２２：Ｎ）、ステップＳ２０３に遷移する。
【００６１】
ステップＳ２０２において認証情報入力部４３は、記憶部４２に記憶されている第１端末識別情報４２ａと、取得した第１認証情報４３ａとを送信部４１を介し、プロジェクター１に送信し、ステップＳ２０３に遷移する。
【００６２】
ステップＳ２０３において本動作フローを終了する。
【００６３】
以上、説明したように、本実施形態のプロジェクターシステム１００によれば、プロジェクター１に保存された第２端末識別情報２１ａ、および第２認証情報２１ｂと、認証端末４０より受信した第１端末識別情報４２ａ、および第１認証情報４３ａと、がそれぞれ一致した場合にプロジェクター１を使用可能とする。
認証端末４０は予め第１端末識別情報４２ａを記憶しており、入力された第１認証情報４３ａとともにプロジェクター１に送信する。これによりプロジェクター１が天吊設置されているなどユーザーから直接操作できない場合でも認証端末４０を介して認証することが可能となる。
【００６４】
また、認証端末４０が第１端末識別情報４２ａを持つことにより、別の認証端末を用いて認証を行おうとする不正使用を防止することが可能となる。
【００６５】
また、認証情報入力部４３にユーザーが入力操作をすることで第１認証情報４３ａの入力を受け付ける。
これにより、認証端末４０において、第１認証情報４３ａを知るユーザーによってのみ認証できるので、プロジェクター１の不正使用を防止することが可能となる。
【００６６】
また、第１認証情報４３ａが記憶された情報記録媒体Ｍを記録媒体接続端子４６に接続することで、情報記録媒体Ｍより第１認証情報４３ａを読み取って認証情報入力部４３により入力することができる。
つまり情報記録媒体Ｍを、プロジェクター１を使用するための鍵として扱い、プロジェクター１の不正使用を防止することが可能となる。
【００６７】
また、パーソナルコンピューターＰＣを認証端末４０に接続し、第１認証情報４３ａを入力することができる。
つまり、パーソナルコンピューターＰＣを用いて第１認証情報４３ａを認証端末４０に入力することができるユーザーにのみプロジェクター１を使用させることが可能となる。
【００６８】
また、認証端末４０をプロジェクター１の近傍に設置することにより、認証端末４０が第三者によって容易に持ち出されたり、紛失したりすることを防止することが可能となる。
【００６９】
また、上記実施形態は、以下のように変更してもよい。
（変形例１）
上記実施形態のプロジェクターシステム１００において、プロジェクター１の認証情報記憶部２１は、複数の第２端末識別情報２１ａを記憶するようにしてもよい。
これによりプロジェクター１を移動した場合、複数の第２端末識別情報２１ａの、いずれかと一致する第１端末識別情報４２ａ、を記憶する認証端末４０が設置してある場所においても、プロジェクター１を使用することが可能となる。
【符号の説明】
【００７０】
１００…プロジェクターシステム、１…プロジェクター、２…天吊装置、１８…画像信号入力部、１７…画像信号処理部、１６…ＯＳＤ処理部、１０…画像投写部、１１…光源、１２Ｒ,１２Ｇ,１２Ｂ…液晶ライトバルブ、１３…投写レンズ、１４…液晶駆動部、１５…報知部、２０…制御部、２１…認証情報記憶部、２１ａ…第２端末識別情報、２１ｂ…第２認証情報、２２…受信部、２３…入力操作部、２５…光源制御部、３０…電源端子、３１…電源部、４０…認証端末、４１…送信部、４２…記憶部、４２ａ…第１端末識別情報、４３…認証情報入力部、４３ａ…第１認証情報、４５…入力端子、４６…記録媒体接続端子、Ｍ…情報記録媒体、ＣＥ…天井、ＷＡ…壁、ＣＡ１，ＣＡ２…ケーブル、ＰＣ…パーソナルコンピューター。
【図１】
2012226034.tif 000003
【図２】
2012226034.tif 000004
【図３】
2012226034.tif 000005
【図４】
2012226034.tif 000006